(57)【要約】 【課題】  カーペット、絨毯などに付着した毛、埃、毛玉などの付着物の除去用として使用する新規なブラシの提供を図る。【解決手段】  ブラシ本体１の下面に対して所要本数を一束とするブラシ用束毛３…を、ブラシ本体１の下面に対して植毛すると共に、当該植毛形態を、後方に傾く鋭角な角度Ｍを保った斜状とするように構成したブラシ。【選択図】  図１
0003155428.tif 000002
【実用新案登録請求の範囲】
【請求項１】
ブラシ本体(１)の下面に対して所要本数を一束とするブラシ用束毛(３…)を、ブラシ本体(１)の下面に対して植毛すると共に、当該植毛形態を、後方に傾く鋭角な角度(Ｍ)を保った斜状とするように構成したブラシ。
【請求項２】
ブラシ本体(１)の下面に対して所要本数を一束とするブラシ用束毛(３…)を、ブラシ本体(１)の下面に対して植毛すると共に、当該植毛形態を、後方に傾く鋭角な角度(Ｍ)を保った斜状とするように構成し、更に、上記ブラシ用束毛(３…)の植毛の配設形態を、ブラシ本体(１)の下面において、清掃の容易化等を図るための横方向に所定の間隔(Ｓ)を設けて列状に植毛するように構成したブラシ。
【請求項３】
後方に傾く鋭角な角度(Ｍ)を１０度として成る請求項１または請求項２に記載のブラシ。
【請求項４】
ブラシ用束毛(３…)を猪毛で形成してなる請求項１乃至請求項３の何れかに記載のブラシ。
【請求項５】
ブラシ用束毛(３…)を構成するブラシ毛単体(3a)の先端に、釘頭状を呈する膨大部(3b)を形成して成る請求項１乃至請求項４の何れかに記載のブラシ。
【考案の詳細な説明】
【技術分野】
【０００１】
本考案は、カーペット、絨毯などに付着した毛、埃、毛玉などの付着物の除去用として使用するブラシに関する。
【背景技術】
【０００２】
従来、この種のブラシにおけるブラシ毛は、ブラシ柄の下面に対して直角に垂下させて植設するように構成したものであり、また、当該植設の配置形態はブラシ柄の下面全体に均一的な状態、すなわち密な状態で植設するように構成したものである（例えば、特許文献１及び特許文献２参照。）
【０００３】
【特許文献１】特開２００６−２６３０２２号公報
【特許文献２】特開２００５−３２３７０６号公報
【考案の開示】
【考案が解決しようとする課題】
【０００４】
上述したような従来のブラシであると、カーペット、絨毯などに付着した毛、埃、毛玉などの付着物の除去を行うに際して、ブラシ毛が腰が弱いものであると、これをカーペット等に全ての毛先を接触させるような状態、すなわち、ブラシ面をカーペット等に並行させて滑らせた場合、使用するブラシ毛が腰の無さに起因して、カーペットの起毛部分に埋没してしまい、そのためその柔軟性に基づき反りが生じてしまい、良好なるブラシ効果を奏することが出来なかった。
【０００５】
このような場合、従来にあっては、図６に示すようにブラシＡをやや傾けてブラシ毛に所用の角度を持たせた状態でブラッシングを行うことを通例とした。  然し乍、このように角度を持たせた場合、カーペットの起毛部分と接触して付着物除去に携わるブラシ毛は、同図に示すように先端のブラシ毛Ｂ部分のみであり、必然、他の部分は遊んでいる状態となってしまうため、そのブラシ掛けの作業効率は極めて悪いものとされた。
【０００６】
このような問題を解決する手段として、ブラシ毛として腰の強い材料、例えば特許文献２に記載されているように「ワイヤー製のブラシ毛」を用いたものが存在する。  然し乍、このようなブラシであると、カーペット等を傷めてしまう恐れがあり、また、良質のカーペット等にあっては比較的柔軟性を具えた「猪毛」を用いることが好ましいが、このような「ワイヤー製」の場合は、これとは全く反対の極めて不適切なブラシ毛とされ、到底実用に適し得ないものである。
【０００７】
その他のブラシとしては、ロール状の粘着テープタイプのもの、或いは、エチケットブラシタイプものが存在するが、このようなタイプのブラシでは、カーペットの表面の付着物は取れるが、毛足の奥の付着物に対する除去は困難とされた。
【０００８】
本考案は上述したような従来の問題を解消すると同時に、ブラッシングに基づきブラシ毛側に転移した付着物に対する除去目的の著しい容易性等が図られるように構成した新規のブラシの提供を図ったものである。
【課題を解決するための手段】
【０００９】
本考案は請求項１に記載のように、ブラシ本体１の下面に対して所要本数を一束とするブラシ用束毛３…を、ブラシ本体１の下面に対して植毛すると共に、当該植毛形態を、後方に傾く鋭角な角度Ｍを保った斜状とするように構成したブラシに係る。
【００１０】
本考案は請求項２に記載のように、ブラシ本体１の下面に対して所要本数を一束とするブラシ用束毛３…を、ブラシ本体１の下面に対して植毛すると共に、当該植毛形態を、後方に傾く鋭角な角度Ｍを保った斜状とするように構成し、更に、上記ブラシ用束毛３…の植毛の配設形態を、ブラシ本体１の下面において、清掃の容易化等を図るための横方向に所定の間隔Ｓを設けて列状に植毛するように構成したブラシに係る。
【００１１】
本考案は請求項３に記載のように、後方に傾く鋭角な角度Ｍを１０度として成る請求項１または請求項２に記載のブラシを実施の態様とする。
【００１２】
本考案は請求項４に記載のように、ブラシ用束毛３…を猪毛で形成して成る請求項１乃至請求項３の何れかに記載のブラシを実施の態様とする。
【００１３】
本考案は請求項５に記載のように、ブラシ用束毛３…を構成するブラシ毛単体3aの先端に、釘頭状を呈する膨大部3bを形成して成る請求項１乃至請求項４の何れかに記載のブラシを実施の態様とする。
【考案の効果】
【００１４】
本考案に係るブラシは、請求項１に記載のように、ブラシ本体１の下面に対して所要本数を一束とするブラシ用束毛３…を、ブラシ本体１の下面に対して植毛すると共に、当該植毛形態を、後方に傾く鋭角な角度Ｍを保った斜状とするように構成したから、ブラッシングに際して、各ブラシ用束毛３…の毛先全てを接触させた状態にあっても、カーペット等に対してこれが斜状に食込むように接することとなる。  従って、カーペット等における埃等の付着物が毛足の底部深くに存在しても、上記食込みに基づき極めて良好なる掻き出し作用が奏される。
【００１５】
更に、上記のような構成に基づき、腰の弱いブラシ毛であっても腰が折れることなくブラッシング作用を奏することとなる。  すなわち、図６に示すような従来のブラシにあっては、同図に示すように、腰の弱さをカバーするためにブラシＡを傾けて使用しなければならず、また、そのために先端寄りのブラシ毛Ｂだけしかブラッシング作業に従事しない、と言うような問題を生じたが、本考案にあってはこのような問題は全く解消され、全てのブラシ毛がブラッシング作用に従事させることが出来、従って、ブラッシング効率の向上化が図られる。
【００１６】
本考案に係るブラシは、請求項２に記載のように、ブラシ本体１の下面に対して所要本数を一束とするブラシ用束毛３…を、ブラシ本体１の下面に対して植毛すると共に、当該植毛形態を、後方に傾く鋭角な角度Ｍを保った斜状とするように構成したことにより、請求項１に係るブラシと同様の作用効果を奏することとなる。  更に、上記ブラシ用束毛３…の植毛の配設形態を、ブラシ本体１の下面において、清掃の容易化等を図るための横方向に所定の間隔Ｓを設けて列状に植毛するように構成したことにより、ブラシ自体の清掃の容易化等が図られる。  
【００１７】
すなわち、図６に示す従来ブラシのように密な状態でブラシ用束毛を植毛した場合、各ブラシ毛間に入り込んだ汚れ物質の除去が極めて困難化してしまうこととなるが、本考案にあっては、上記した間隔Ｓの存在に基づき、カーペット等から掻き取られてブラシ用束毛３…側に付着している毛、埃、毛玉等の汚れ物質を除去するために、例えば指先で摘み取るか、或いは専用の熊手型クリーナーを用いて除去することが可能化される。
一方、カーペットには縦横に「目」があるので、その目に沿ってブラシを移動させることがブラッシング作業に於いて重要事とされる。  従って、上記した間隔Ｓを設けたことにより、このような移動が極めて円滑に行われる、と言うような作用効果をも奏することとなる。
【００１８】
本考案は請求項３に記載のような構成、すなわち、後方に傾く鋭角な角度Ｍを１０度とすることにより、比較的柔軟性を具えたブラシ毛を使用しても、良好なるブラッシング効果が奏される。
【００１９】
本考案は請求項４に記載のような構成、すなわち、ブラシ用束毛３…を猪毛で形成することにより、高級にして最良のブラシの提供が果たされることとなる。
【００２０】
本考案は請求項５に記載のような構成、すなわち、ブラシ用束毛３…を構成するブラシ毛単体3aの先端に、釘頭状を呈する膨大部3bを形成することにより、ブラシ毛はその毛先部分の膨大部分により、カーペット等における付着物を掻き取る作用を奏することとなる。  従って、カーペット等の厚み、毛足の長さにとらわれることなく使用の可能化が図られる。
【考案を実施するための最良の形態】
【００２１】
図１乃至図３は本考案に係るブラシの一実施例を表したものである。  同図に於いて、１はブラシ本体、２は当該本体１に取付けたブラシ柄である。  そして、当該ブラシ柄２は、ブラシ本体１を水平方向に移動させるのに適した形状とすることが好ましい。
【００２２】
３…は所要本数を一束とするブラシ用束毛であって、ブラシ本体１の下面に対して下記するような形態で植毛してある。  そして、本考案はこのようなブラシ束毛３…の植設形態を技術的要部とするものである。
【００２３】
上記したブラシ用束毛３…の植毛形態は、図面に示すようにブラシ本体１の下面に対して後方、すなわちブラシ柄２方向に、鋭角Ｍ（図３参照）を保った斜状に植毛してある。  当該斜状の植毛であるが、その角度を１０度とすることが好ましいが、これに限定されるものではない。  すなわち、当該角度はこれを多く取ることにより（多く寝かせることにより）腰の強いブラッシング効果が奏され、一方、これを少なくすることにより、毛先の反りの促進に基づく柔軟性が得られることとなる。  従って、使用するカーペット等の種類によって（柔軟性によって）最適な角度に設定することが好ましい。
【００２４】
また、ブラシ本体１の下面に対するブラシ用束毛３…の植毛の配設形態であるが、これはブラシ本体１の下面において、清掃の容易化等を図るための所定の間隔Ｓを横方向に設けて列状に植毛するように構成してある。  なお、図示の実施例にあってはブラシ用束毛３…を三列に植毛配設するように構成してあるが、これに限定されるものではない。
【００２５】
すなわち、上記したように間隔Ｓを設けたのは、カーペット等から掻き取られてブラシ用束毛３…側に付着している毛、埃、毛玉等の汚れ物質の除去を行うために、例えば指先で摘み取るか、或いは専用の熊手形クリーナーを用いて除去するのに適した形態とするためである。
【００２６】
何故ならば、ブラシ用束毛３…を図６に示す従来ブラシのように密な状態でブラシ用束毛を植毛した場合、各ブラシ毛間に入り込んだ汚れ物質の除去が極めて困難化してしまうこととなる。  これに対して本考案は上述したような間隔Ｓを設けることによって、このような問題の解決化が図られることとなる。
【００２７】
更に、カーペットには縦横に「目」があるので、その目に沿ってブラシを移動させることがブラッシング作業に於いて重要事とされるが、上記した間隔Ｓを設けることにより、このような移動が極めて円滑に行われることとなる。
【００２８】
本考案において、ブラシ用束毛３…の材質は特に限定されるものではないが、上記したような植毛形態の採用に基づき腰の柔らかくブラシ毛として最適とする「猪毛」の利用を図ることも可能化される。
【００２９】
更に、図４に示すものは、ブラシ用束毛３…を構成するブラシ毛単体3aとして、極めて一般的に使用されているストレートタイプのブラシ毛単体を表したものである。そして、図５に示すものは、当該ブラシ毛単体3aとして、その先端に、釘頭状を呈する膨大部3bを形成したものを表したものである。  本考案は何れのタイプのものであっても実施可能とするが、後者のタイプのブラシ毛単体で実施することにより、ブラシ毛はその毛先部分に形成の膨大部分により、カーペット等における付着物を掻き取る作用を奏することとなる。  従って、カーペット等の厚み、毛足の長さにとらわれることなく使用の可能化が図られるというような独自の作用を具備することとなる。
なお、当該膨大部3bの形成手段は熱成形等適宜な手段で一体成形するものとする。
【００３０】
本考案の使用に際しては、図１に示すように、カーペット等の表面に対してブラシ本体１の下面を対向させた状態、すなわち、全てのブラシ用束毛３…がカーペット等の表面に対して接触させた状態でブラッシング操作を行うものである。  そのため、図４に示す従来のブラシと異なり、全てのブラシ用束毛３…がブラッシング目的に寄与することとなる。
【図面の簡単な説明】
【００３１】
【図１】本考案に係るブラシの側面図である。
【図２】本考案に係るブラシの底面図である。
【図３】本考案に係るブラシの要部を表した説明用拡大図である。
【図４】ストレートタイプのブラシ毛単体を表した拡大図である。
【図５】釘頭状を呈する膨大部3bを先端に形成したタイプのブラシ毛単体を表した拡大図である。
【図６】従来のブラシにおける問題点を説明するための側面図である。
【符号の説明】
【００３２】
１  ブラシ本体
２  ブラシ柄
３  ブラシ用束毛
3a  ブラシ毛単体
3b  釘頭状膨大部
Ｍ  ブラシ用束毛の鋭角な植毛角度
Ｓ  ブラシ用束毛の植毛間隔
【図１】
0003155428.tif 000003
【図２】
0003155428.tif 000004
【図３】
0003155428.tif 000005
【図４】
0003155428.tif 000006
【図５】
0003155428.tif 000007
【図６】
0003155428.tif 000008
【手続補正書】
【提出日】平成21年9月7日(2009.9.7)
【手続補正１】
【補正対象書類名】実用新案登録請求の範囲
【補正対象項目名】全文
【補正方法】変更
【補正の内容】
【実用新案登録請求の範囲】
【請求項１】
ブラシ本体(１)の下面に対して所要本数を一束とするブラシ用束毛(３…)を、ブラシ本体(１)の下面に対して植毛すると共に、当該植毛形態を、ブラシ柄２方向に傾く鋭角な角度(Ｍ)を保った斜状とするように構成したブラシ。
【請求項２】
ブラシ本体(１)の下面に対して所要本数を一束とするブラシ用束毛(３…)を、ブラシ本体(１)の下面に対して植毛すると共に、当該植毛形態を、ブラシ柄２方向に傾く鋭角な角度(Ｍ)を保った斜状とするように構成し、更に、上記ブラシ用束毛(３…)の植毛の配設形態を、ブラシ本体(１)の下面において、清掃の容易化等を図るために所定の間隔Ｓを設けて列状に植毛するように構成したブラシ。
【請求項３】
ブラシ柄２方向に傾く鋭角な角度(Ｍ)を１０度として成る請求項１または請求項２に記載のブラシ。
【請求項４】
ブラシ用束毛(３…)を猪毛で形成してなる請求項１乃至請求項３の何れかに記載のブラシ。
【請求項５】
ブラシ用束毛(３…)を構成するブラシ毛単体(3a)の先端に、釘頭状を呈する膨大部(3b)を形成して成る請求項１乃至請求項４の何れかに記載のブラシ。
【手続補正２】
【補正対象書類名】明細書
【補正対象項目名】０００７
【補正方法】変更
【補正の内容】
【０００７】
その他のブラシとしては、ロール状の粘着テープタイプのもの、或いは、エチケットブラシ（登録商標）タイプのものが存在するが、このようなタイプのブラシでは、カーペットの表面の付着物は取れるが、毛足の奥の付着物に対する除去は困難とされた。
【手続補正３】
【補正対象書類名】明細書
【補正対象項目名】０００９
【補正方法】変更
【補正の内容】
【０００９】
本考案は請求項１に記載のように、ブラシ本体１の下面に対して所要本数を一束とするブラシ用束毛３…を、ブラシ本体１の下面に対して植毛すると共に、当該植毛形態を、ブラシ柄２方向に傾く鋭角な角度Ｍを保った斜状とするように構成したブラシに係る。
【手続補正４】
【補正対象書類名】明細書
【補正対象項目名】００１０
【補正方法】変更
【補正の内容】
【００１０】
本考案は請求項２に記載のように、ブラシ本体１の下面に対して所要本数を一束とするブラシ用束毛３…を、ブラシ本体１の下面に対して植毛すると共に、当該植毛形態を、ブラシ柄２方向に傾く鋭角な角度Ｍを保った斜状とするように構成し、更に、上記ブラシ用束毛３…の植毛の配設形態を、ブラシ本体１の下面において、清掃の容易化等を図るために所定の間隔Ｓを設けて列状に植毛するように構成したブラシに係る。
【手続補正５】
【補正対象書類名】明細書
【補正対象項目名】００１１
【補正方法】変更
【補正の内容】
【００１１】
本考案は請求項３に記載のように、ブラシ柄２方向に傾く鋭角な角度Ｍを１０度として成る請求項１または請求項２に記載のブラシを実施の態様とする。
【手続補正６】
【補正対象書類名】明細書
【補正対象項目名】００１４
【補正方法】変更
【補正の内容】
【００１４】
本考案に係るブラシは、請求項１に記載のように、ブラシ本体１の下面に対して所要本数を一束とするブラシ用束毛３…を、ブラシ本体１の下面に対して植毛すると共に、当該植毛形態を、ブラシ柄２方向に傾く鋭角な角度Ｍを保った斜状とするように構成したから、ブラッシングに際して、各ブラシ用束毛３…の毛先全てを接触させた状態にあっても、カーペット等に対してこれが斜状に食込むように接することとなる。  従って、カーペット等における埃等の付着物が毛足の底部深くに存在しても、上記食込みに基づき極めて良好なる掻き出し作用が奏される。
【手続補正７】
【補正対象書類名】明細書
【補正対象項目名】００１６
【補正方法】変更
【補正の内容】
【００１６】
本考案に係るブラシは、請求項２に記載のように、ブラシ本体１の下面に対して所要本数を一束とするブラシ用束毛３…を、ブラシ本体１の下面に対して植毛すると共に、当該植毛形態を、ブラシ柄２方向に傾く鋭角な角度Ｍを保った斜状とするように構成したことにより、請求項１に係るブラシと同様の作用効果を奏することとなる。  更に、上記ブラシ用束毛３…の植毛の配設形態を、ブラシ本体１の下面において、清掃の容易化等を図るために所定の間隔Ｓを設けて列状に植毛するように構成したことにより、ブラシ自体の清掃の容易化等が図られる。  
【手続補正８】
【補正対象書類名】明細書
【補正対象項目名】００１８
【補正方法】変更
【補正の内容】
【００１８】
本考案は請求項３に記載のような構成、すなわち、ブラシ柄２方向に傾く鋭角な角度Ｍを１０度とすることにより、比較的柔軟性を具えたブラシ毛を使用しても、良好なるブラッシング効果が奏される。